(57)【要約】【課題】ストラップ孔がないスマートフォンにもストラップを取り付けることができ、かつ、一度取り付けたら容易に外れにくいクリップを提供する。【解決手段】ストラップ１００を、第１部材１０２と、第１部材１０２に接続された一方端部を支点にして、第１部材１０２に近接する向きに付勢された第２部材１０４とで構成し、さらに、第２部材１０４に、第１部材１０２に近接する位置に形成された挟み部１１０を少なくとも３つ形成することにより、上記課題を解決できる。【選択図】図２
2017023617.tif 000002
【特許請求の範囲】
【請求項１】
第１部材と、
前記第１部材に接続された一方端部を支点にして、前記第１部材に近接する向きに付勢された第２部材とを備えており、
前記第２部材は、前記第１部材に近接する位置に形成された挟み部を少なくとも３つ有している
クリップ。
【請求項２】
少なくとも、前記第２部材の他方端と、前記他方端に対向する前記第１部材の端とは、互いに近接している
請求項１に記載のクリップ。
【請求項３】
前記第１部材と前記第２部材とは互いに一体に形成されている
請求項１または２に記載のクリップ。
【請求項４】
前記第１部材および前記第２部材の少なくともいずれか一方には、ストラップが取り付けられる孔が形成されている
請求項１から３のいずれか１項に記載のクリップ。
【発明の詳細な説明】
【技術分野】
【０００１】
本発明は、例えば、スマートフォン用のカバーにストラップを取り付けるのに使用されるクリップに関する。
【背景技術】
【０００２】
スマートフォンが普及する前に広く利用されていた携帯電話には、その本体にストラップを取り付けるための孔が設けられていたことから、多くのユーザーが携帯電話にストラップを取り付けて使用していた（例えば、特許文献１）。ストラップを取り付ける理由としては、携帯電話の落下防止や装飾などが挙げられる。
【０００３】
一方、携帯電話に比べて画面が大きく、かつ、多機能なスマートフォンは、近年、携帯電話に代わって爆発的に普及している。
【先行技術文献】
【特許文献】
【０００４】
【特許文献１】実用新案登録第３０４６６６４号公報
【発明の概要】
【発明が解決しようとする課題】
【０００５】
ところが、多くのスマートフォンには、ストラップを取り付けるための孔が設けられておらず、スマートフォンにストラップを直接取り付けることができないことから、携帯電話からスマートフォンに移行したユーザーは不便な思いをしていた。
【０００６】
このような状況において、ストラップを取り付けたいユーザーは、スマートフォンに専用のカバーを取り付け、そのカバーに対して、予めストラップを取り付けておいたクリップを取り付けることで対応していた。しかし、従来のクリップは、カバーから外れてしまい易く、スマートフォンの落下防止の役割を果たすことが難しいものが多かった。
【０００７】
したがって、本発明の目的は、ストラップ孔がないスマートフォンにもストラップを取り付けることができ、かつ、一度取り付けたら容易に外れにくいクリップを提供することにある。
【課題を解決するための手段】
【０００８】
本発明の一局面によれば、
第１部材と、
前記第１部材に接続された一方端部を支点にして、前記第１部材に近接する向きに付勢された第２部材とを備えており、
前記第２部材は、前記第１部材に近接する位置に形成された挟み部を少なくとも３つ有している
クリップが提供される。
【０００９】
なお、本明細書の全体を通して、「近接」とは、クリップの自然状態（第１部材と第２部材との間に何も差し入れられておらず、かつ、クリップに対して外部からの力が付勢されていない状態。以下同じ。）において、第１部材と第２部材との間に差し入れたもの（例えば、スマートフォン用カバーを構成する生地や、シャツの胸ポケットを構成する生地など）を挟むことができる程度にごく近い位置関係にあるか、あるいは、互いに当接している位置関係をいう。
【００１０】
好適には、少なくとも、前記第２部材の他方端と、前記他方端に対向する前記第１部材の端とは、互いに近接している。
【００１１】
好適には、前記第１部材と前記第２部材とは、互いに一体に形成されている。
【００１２】
好適には、前記第１部材および前記第２部材の少なくともいずれか一方には、ストラップが取り付けられる孔が形成されている。
【発明の効果】
【００１３】
本発明によれば、ストラップ孔がないスマートフォンにもストラップを取り付けることができ、かつ、一度取り付けたら容易に外れにくいクリップを提供することができた。
【図面の簡単な説明】
【００１４】
【図１】本発明に係るクリップの１の実施例を示す平面図である。
【図２】本発明に係るクリップの１の実施例を示す左側面図である。
【図３】本発明に係るクリップをスマートフォン用カバーに取り付けた状態を示す図である。
【図４】本発明に係るクリップをシャツのポケットに取り付けた状態を示す図である。
【図５】本発明に係るクリップの他の実施例を示す左側面図である。
【図６】本発明に係るクリップの他の実施例を示す左側面図である。
【図７】本発明に係るクリップの他の実施例を示す左側面図である。
【図８】本発明に係るクリップの他の実施例を示す左側面図である。
【図９】本発明に係るクリップの他の実施例を示す左側面図である。
【図１０】本発明に係るクリップの他の実施例を示す左側面図である。
【発明を実施するための形態】
【００１５】
本発明が適用されたクリップ１００の一例（実施例１）を図１および図２に示す。このクリップ１００は、例えば、スマートフォン用カバーＡを構成する生地Ｂを挟んだり（図３参照）、シャツＣの胸ポケットを構成する生地Ｄを挟んだりする（図４参照）ことによって、スマートフォン用カバーＡやシャツＣにストラップなどを取り付けるものである。
【００１６】
このクリップ１００は、大略、第１部材１０２と、第２部材１０４とを備えている。また、クリップ１００は、ステンレスなどの金属で構成されてもよいし、各種の合成樹脂で構成されてもよい。さらに、木材を用いてクリップ１００を構成してもよい。
【００１７】
第１部材１０２は、短冊状の板材であり、本実施例では平らな板材が使用されているが、これに変えて、曲面を含む板材や、表面に凹凸のある板材などを使用してもよい。
【００１８】
第２部材１０４は、その一方端１０４ａが第１部材１０２の一方端１０２ａに接続されており、当該一方端１０４ａを支点にして第１部材１０２に近接する向きに付勢されている。本実施例では、第１部材１０２と第２部材１０４とは、互いに一体に形成されているが、第１部材１０２と第２部材１０４とを互いに別々に形成した後、互いに接着したり、係合させたりしてクリップ１００を構成してもよい。また、上記実施例のように、第１部材１０２と第２部材１０４との一方端１０２ａ,１０４ａ同士を接続することに限定されるものではなく、例えば、第１部材１０２の一方端１０２ａを、第２部材１０４の一方端１０４ａから少し内側の位置に接続してもよいし、逆に、第２部材１０４の一方端１０４ａを、第１部材１０２の一方端１０２ａから少し内側の位置に接続してもよい。つまり、第２部材１０４が、その一方端部を支点にして第１部材１０２に近接する向きに付勢されるのであれば、どのような態様でもよい。
【００１９】
本実施例に係る第２部材１０４は、挟み部１１０と、平面部１１２と、ストラップ用孔１１４とを有している。
【００２０】
挟み部１１０は、本実施例では、第１部材１０２に近接する位置に３箇所形成されている。この挟み部１１０は、例えば、スマートフォン用カバーＡを構成する生地Ｂや、シャツＣの胸ポケットを構成する生地Ｄなどを、第１部材１０２と第２部材１０４との間に差し入れたとき、第１部材１０２の表面との間でこれら生地Ｂ,Ｄを挟む部分である。したがって、挟み部１１０は、クリップ１００の自然状態（第１部材１０２と第２部材１０４との間に何も差し入れられておらず、かつ、クリップ１００に対して外部からの力が付勢されていない状態）において、第１部材１０２の表面に対してごく近い位置関係にあるか、あるいは、第１部材１０２に対して「線」や「点」で当接する位置関係にある。なお、このような位置関係を本明細書では「近接」という。
【００２１】
なお、上述した挟み部１１０は、短冊状板材である第２部材１０４を連続して折り曲げるようにして形成されていることから、第２部材１０４において挟み部１１０が形成された面とは逆の面には、側面視で、第１部材１０２から離間する方向に突き出たような頂部１１６が形成されている。
【００２２】
平面部１１２は、第２部材１０４の他方端１０４ｂから少し内側にかけての、第１部材１０２に対向する側に形成されている。つまり、この平面部１１２は、第１部材１０２の表面に対して「面」で近接している。
【００２３】
ストラップ用孔１１４は、クリップ１００にストラップなどを取り付けるための孔であり、本実施例では、第２部材１０４の一方端１０４ａからやや内側の位置に２箇所設けられている。ストラップ用孔１１４の数や設けられる位置はこれに限定されるものではなく、１箇所あるいは３箇所以上のストラップ用孔１１４を設けてもよいし、第２部材１０４に限らず第１部材１０２のいずれの位置にでも設けることができる。
【００２４】
（実施例１に係るクリップ１００の特徴）
実施例１に係るクリップ１００によれば、クリップ１００を取り付けたい物の生地など（例えば、スマートフォン用カバーＡを構成する生地Ｂや、シャツＣの胸ポケットを構成する生地Ｄ）を第１部材１０２と第２部材１０４との間に差し入れることにより、第２部材１０４に形成された挟み部１１０とこれに対向する第１部材１０２の表面との間で当該生地などが挟まれる。これにより、クリップ１００をその物に取り付けることができ、例えば、クリップ１００をスマートフォン用カバーＡに取り付けた場合、ストラップ孔がないスマートフォンにもストラップを取り付けることができるようになる。
【００２５】
また、挟み部１１０が３箇所形成されているので、第１部材１０２との間で生地を挟んで保持する力が強くなり、一度取り付けたら容易に外れにくいクリップ１００を提供することができる。
【００２６】
さらに、実施例１に係るクリップ１００は、生地が差し入れられる第２部材１０４の他方端１０４ｂ側に、第１部材１０２の表面に対して「面」で近接する平面部１１２を有している。これにより、第１部材１０２との間で生地を挟む箇所を上述した挟み部１１０に加えて増加させることができる。また、単に増加させるだけでなく、平面部１１２は、第１部材１０２の表面に対して「面」で近接することから、より強固に生地を挟んで保持することができる。さらに、生地が差し入れられる、第２部材１０４の他方端１０４ｂにおいてこのように強固に生地を挟む平面部１１２を設けることにより、クリップ１００を生地に挟んで使用中に、当該クリップ１００に取り付けられたストラップなどが強く引っ張られることにより、クリップ１００が生地から外れる方向に移動する場合であっても、平面部１１２による生地の保持は最後まで持続するので、より安定的に生地を保持することができる。
【００２７】
（変形例：実施例２）
上述した実施例１では、挟み部１１０は、第１部材１０２の表面に対して「線」で近接する例を説明したが、これに変えて、図５に示すように、挟み部１１０における第１部材１０２への近接端を「平面」として構成してもよい。
【００２８】
これにより、挟み部１１０と第１部材１０２との間において生地を「面」で挟むことにより、当該生地をさらに強固に保持することができる。
【００２９】
（変形例：実施例３）
また、第２部材１０４における、挟み部１１０と反対に第１部材１０２から最も離間した頂部１１６の形状は、実施例１（図２）のように、側面視で「頂部（やや尖った部分）」を有するような形状であってもよいし、図６に示すように、側面視で「滑らかな円弧部」を有するような形状であってもよい。
【００３０】
（変形例：実施例４）
また、図７に示すように、第２部材１０４の平面部１１２から、対向する第１部材１０２に向かって突出する突部１１８を設けてもよい。これにより、第１部材１０２と第２部材との間に生地を差し入れたとき、突部１１８の先端部が当該生地にくい込むので、クリップ１００がより強固に生地を保持できるようになる。なお、これに加えて、あるいはこれに変えて、第１部材１０２から第２部材１０４の平面部１１２に向かって突出する突部（図示せず）を設けてもよい。
【００３１】
（変形例：実施例５）
さらに、図８に示すように、クリップ１００の自然状態において、少なくとも、第１部材１０２の他方端１０２ｂと、当該他方端１０２ｂに対向する第２部材１０４の他方端１０４ｂとが互いに近接しているのであれば、第２部材１０４の平面部１１２が第１部材１０２に対して「面」で接していなくてもよい。図８に示す例であれば、平面部１１２が第１部材１０２に対して傾斜するように形成されており、他方端１０４ｂに近づくとともに平面部１１２と第１部材１０２との間の距離が狭くなっている。
【００３２】
実施例５のような形状であっても、第１部材１０２の他方端１０２ｂと、第２部材１０４の他方端１０４ｂとの間で生地を保持できる。
【００３３】
（変形例：実施例６）
第２部材１０４における挟み部１１０の数は、実施例１のように３箇所でもよいし、それ以上の数でもよい。例えば、図９に示すクリップ１００には、５箇所の挟み部１１０が形成されている。なお、これに伴い、頂部１１６も５箇所形成されている。
【００３４】
（変形例：実施例７）
上述してきた実施例では、挟み部１１０が形成された面とは逆の面には、側面視で、第１部材１０２から離間する方向に突き出たような頂部１１６が形成されているが、この頂部１１６は、本発明に必須の構成ではなく、図１０に示すように、頂部１１６を有さないクリップ１００であってもよい。図１０に示す実施例７では、第２部材１０４における挟み部１１０が形成された面とは逆の面は平面状に形成されている。
【００３５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００３６】
１００…クリップ、１０２…第１部材、１０２ａ…（第１部材の）一方端、１０２ｂ…（第１部材の）他方端、１０４…第２部材、１０４ａ…（第２部材の）一方端、１０４ｂ…（第２部材の）他方端、１１０…挟み部、１１２…平面部、１１４…ストラップ用孔、１１６…頂部、１１８…突部
【図１】
2017023617.tif 000003
【図２】
2017023617.tif 000004
【図３】
2017023617.tif 000005
【図４】
2017023617.tif 000006
【図５】
2017023617.tif 000007
【図６】
2017023617.tif 000008
【図７】
2017023617.tif 000009
【図８】
2017023617.tif 000010
【図９】
2017023617.tif 000011
【図１０】
2017023617.tif 000012